(57)【要約】【課題】  録画装置に外部から入力されたアナログ映像信号を録画する場合に、外部に接続されたSTB等の装置で表示させた、録画を希望する番組情報を含む電子番組表の画面をキャプチャし、そのキャプチャデータを録画したコンテンツのサムネイル画像として利用するための制御方法を提供する。【解決手段】  本発明の録画装置は、外部からの入力映像を受け取る部分である画像入力部４と、画像入力部４を経由して得られた映像信号を、ユーザーの指示により静止画として取り出し、メモリ６に蓄える画像キャプチャ部５と、蓄積済みコンテンツの一覧表示などを行う際に使用するサムネイル画像との関連付けなどを行うコンテンツ管理部９とを有する。【選択図】  図２
2010258777.tif 000002
【特許請求の範囲】
【請求項１】
外部装置から入力されたアナログ信号を録画する録画装置において、外部装置にて表示させた電子番組表の画面イメージをキャプチャし、そのイメージまたはイメージの一部を録画コンテンツのサムネイルとして利用することを特徴とした録画装置。
【請求項２】
請求項１の録画装置において、作成されたサムネイルデータを文字認識してテキスト化することを特徴とした請求項１に記載の録画装置。
【発明の詳細な説明】
【技術分野】
【０００１】
本発明は外部入力されたアナログ信号を録画する際の録画装置及びその制御方法に関する。
【背景技術】
【０００２】
通常、ケーブルTVを視聴する場合、ケーブルTV会社が提供する専用のSTB（セットトップボックス）の映像出力をTVの外部入力に接続することになる。STBとは、ケーブルTVなどの放送信号を受信してTVで視聴可能な信号に変換する装置の事である。近年ではこのSTBに録画機能を付加したものが発売されているが、未だ録画機能を持たないSTBは数多く存在する。録画機能を持たないSTB経由でのみ視聴可能な番組の録画を希望する場合、STBから出力されたアナログ映像・音声信号を、録画機能を有した装置に入力して録画することになる。これは、デジタル信号での映像伝送には一般的にHDMI（High-Definition Multimedia Interface）が利用されるが、HDMI経由の信号は規格上録画することが許可されていないためである。（「ＨＤＭＩ」は登録商標）
従来例として、下記特許文献１をあげることが出来る。
【先行技術文献】
【特許文献】
【０００３】
【特許文献１】特開２００２−１００１６７号公報
【発明の概要】
【発明が解決しようとする課題】
【０００４】
録画装置に外部から入力されたアナログ映像信号を録画する場合、STBと録画装置の間では、アナログの映像信号及び音声信号のみが伝達される。よって録画装置側では、ユーザーが録画を希望する番組のタイトルなどの情報を知る術がなく、録画装置内に録画されるコンテンツのタイトルはユーザーが別途入力するしかなく、わずらわしかった。また、別途番組タイトル等を入力しておかないと、後でコンテンツの内容を判別するのが大変難しくなってしまう。
【０００５】
そこで本発明は、外部入力されたアナログ信号を録画する場合、外部に接続されたSTB等の装置で表示させた、録画を希望する番組情報を含む電子番組表の画面をキャプチャし、そのキャプチャデータを録画したコンテンツのサムネイル画像として利用することで、ユーザーがコンテンツのタイトルなどを別途入力しなくてもコンテンツの区別がつきやすくする録画装置の制御方法を提供する事を目的とする。
【課題を解決するための手段】
【０００６】
上述した課題を解決するために、本発明は外部から入力された電子番組表の画像を静止画としてキャプチャし、そのキャプチャ画像を録画したコンテンツを一覧表示する際のサムネイル画像として利用する手段を有する事を特徴とする。
【０００７】
また、録画したコンテンツの一覧表示をテキストで行う場合には、サムネイル画像を文字認識してテキスト化して利用する手段を有する事を特徴とする。
【発明の効果】
【０００８】
本発明によれば、外部入力されたアナログ信号を録画装置にて録画する際に、ユーザーの手をわずらわすことなく、番組タイトルを入力したのと同等に録画コンテンツの内容を簡単に判別可能とすることが出来、ユーザーの利便性を向上させることが出来る。
【図面の簡単な説明】
【０００９】
【図１】本発明の構成図
【図２】本発明の実施例１における録画装置のブロック図
【図３】本発明の実施例１の動作を示したフローチャート
【図４】電子番組表の例
【図５】録画済コンテンツ一覧表示（サムネイル）の例
【図６】録画装置の録画予約画面の例
【図７】本発明の実施例２における録画装置のブロック図
【図８】本発明の実施例２の動作を示したフローチャート
【発明を実施するための形態】
【００１０】
（実施例１）
本発明の実施の形態について図面を用いて説明する。
【００１１】
図１は本発明を利用する構成の一例を示したものである。
【００１２】
STB２のアナログ信号出力は、TV１のアナログ信号入力端子と接続されており、TV１には録画機能が搭載されている。
【００１３】
ここでいうアナログ接続とは、D端子やS端子、コンポジットなどが挙げられる。
【００１４】
STB２からの映像を視聴する場合、TV１の映像ソースとしてSTB２と接続された外部入力を選択する。
【００１５】
STB２からの映像がTV１に表示された状態でさらにSTB２を操作することで、画面上に所望の番組や電子番組表、操作メニューなどを表示することが出来る。
【００１６】
次にTV１の構成について図２を使って説明する。
【００１７】
図２はTV１の構成における、本発明に関する部分のみを示したものである。
【００１８】
CPU３はTV１の内部システムを制御し、ユーザーからの指示を実行する。
【００１９】
ユーザーからの指示は通常リモコン（図示せず）を介して行われる。
【００２０】
画像入力部４は外部からの入力映像を受け取る部分である。画像キャプチャ部５は画像入力部４を経由して得られた映像信号を、ユーザーの指示により静止画として取り出し、メモリ６に蓄える。録画制御部７は録画の実行などを制御し、録画コンテンツは蓄積部８に蓄えられる。この蓄積部８はハードディスクなどを利用することが考えられる。蓄積部８に蓄えられたコンテンツはコンテンツ管理部９により管理され、蓄積済みコンテンツの一覧表示などを行う際に使用するサムネイル画像との関連付けなどが行われる。
【００２１】
では次に本発明の動作について、STB２で視聴予約した番組の録画予約をTV１で行う例に沿って、図３に示したフローチャートを用いて説明する。
【００２２】
まず、録画を希望する番組がSTB２でしか受信できない場合、まずSTB２に対して所望の番組の視聴予約を行う必要がある。視聴予約とは、事前に視聴を希望する番組を選択しておくと、その日時が来たときに自動的にチャンネルを予約しておいた番組に切り替える機能である。もし予約日時にSTBがスタンバイ状態であった場合には電源ONを行った上でチャンネルを切り替える。
【００２３】
視聴予約を行うために、まずSTB２を操作してTV１の画面上に電子番組表を表示させる（S1）。この電子番組表の例を図４に示す。
【００２４】
ユーザーはこの番組表の中から所望の番組を選択して視聴予約操作を行う（S2）。視聴予約操作が終了すると、通常選択された番組の欄には例えば背景が赤くなるなどの変化があらわれる。図４に示した電子番組表の例は、この変化が起こった後の状態を示している。次にこの電子番組表を表示した状態でTV１を操作し、画面キャプチャを行う（S3）。この操作は、リモコン（図示せず）に専用のキーが設けられていても良いし、画面上にメニューを表示して選択しても良い。
【００２５】
ユーザーからのキャプチャ指示を受け取ったCPU３は画面キャプチャ部に対して画面キャプチャを行うように指示をする。画面キャプチャ部５は画像入力部４より入力された画像を静止画として取り込み、一度メモリ６に保存する。さらにメモリ６に保存された画面キャプチャデータから、視聴予約が行われて例えば番組枠の背景が赤くなっているなどの特徴部分のみを切り出してサムネイル用の画像を作成する（S4）。こうして作成されたサムネイル画像の例を図５に示す。この操作が終了した旨を画像キャプチャ部５がCPU３に対して通知すると、CPU３は次に録画制御部７に対して録画予約画面を表示するように指示を行う（S5）。録画予約画面の例を図６に示す。
【００２６】
通常、ジャンル・チャンネル・日付・時間については、録画予約画面の中に選択肢が表示され、リモコン（図示せず）の上下キーなどで選択出来るようになっている。これらの選択肢を選択し、タイトルについては入力がわずらわしいのでそのままにして録画予約画面を終了する。この録画予約操作の完了通知を受けたCPU３はコンテンツ管理部９に対して、この予約により録画されるコンテンツのサムネイル画像を、先に画像キャプチャ部５が作成したサムネイル用の画像とするように指示する（S6）。これにより、番組録画が完了して蓄積部８に蓄積された後に、録画済コンテンツの一覧を表示した場合には、このコンテンツのサムネイル画像として図５に示した画像が使用される。
【００２７】
このような画像をサムネイル画像としておけば、ユーザーが録画予約の際に番組名を入力せずとも、入力したのと同様に番組名を知る事が可能となり、利便性が増す。
【００２８】
（実施例２）
次に本発明の第2の実施形態について説明する。
【００２９】
図７に示した構成は文字認識部１０を除いて、実施例１と同じである。
【００３０】
文字認識部１０はサムネイル画像として作成された画像を文字認識して、テキストに変換するブロックである。
【００３１】
動作についてもキャプチャ指示を行う手順までは同じである。図８にフローチャートを示す。実施例１と異なるのは画像をキャプチャしてサムネイル画像を作成した後、その画像を文字認識部１０に受け渡し、テキストデータに変換する部分である。（S7）
変換されたテキストデータはサムネイル画像同様コンテンツ管理部９により録画されたコンテンツに対し関連付けされる。（S8）
こうしてテキストデータ変換を行っておけば、録画済みコンテンツの一覧表示をサムネイル表示ではなく、テキスト表示にした場合でも番組タイトルを表示する事が可能となる。
【符号の説明】
【００３２】
１  TV（録画機能付き）
２  STB
３  CPU
４  画像入力部
５  画像キャプチャ部
６  メモリ
７  録画制御部
８  蓄積部
９  コンテンツ管理部
１０  文字認識部
【図１】
2010258777.tif 000003
【図２】
2010258777.tif 000004
【図３】
2010258777.tif 000005
【図４】
2010258777.tif 000006
【図５】
2010258777.tif 000007
【図６】
2010258777.tif 000008
【図７】
2010258777.tif 000009
【図８】
2010258777.tif 000010